(57)【特許請求の範囲】
【請求項１】
遊技球を貯留する貯留部を備える遊技球タンクにおいて、
前記貯留部に貯留していた遊技球を流動させつつ整列させて該遊技球タンクの外部に誘導する整列レール部を前記貯留部の底部に一体化して設け、
前記整列レール部の一部であり前記貯留部の外部に突出する突出部と、
前記貯留部の周壁の前記整列レール部の上方に位置する切欠と、
前記突出部の天井となる天井部及び前記切欠に挿入されて該切欠を閉鎖する閉鎖体と一体化されていて前記整列レール部の前記貯留部の内側における下流端部の上方に配される庇部と
を設けたことを特徴とする遊技球タンク。
【請求項２】
遊技球を貯留する貯留部を備える遊技球タンクにおいて、
前記貯留部に貯留していた遊技球を直線に沿って流動させつつ整列させて該遊技球タンクの外部に誘導する整列レール部を前記貯留部の内側になる貯留部側部分と前記貯留部の外部に突出する突出部とで構成して、射出成形により前記貯留部の底部に一体化し、
前記貯留部側部分を前記貯留部の底部の全長にわたる溝状に形成し、
前記貯留部側部分の上流端部に隣接する第１底面と、前記貯留部側部分に隣接し段差により前記第１底面よりも上方に位置する第２底面とを前記貯留部側部分に沿って並べて前記底部に設け、
前記第２底面に沿って配される庇部にて前記貯留部側部分の下流端部の上方を閉じ、
前記第２底面から前記貯留部側部分への遊技球の落下を阻害する内壁を前記第２底面と前記貯留部側部分との境界部分に立設した
ことを特徴とする遊技球タンク。
【請求項３】
請求項２記載の遊技球タンクにおいて、
前記庇部は、前記貯留部の周壁に保持されていることを特徴とする遊技球タンク。
【請求項４】
請求項２または３記載の遊技球タンクにおいて、
前記貯留部の周壁の前記整列レール部の上方に位置する部分に切欠を設け、
前記庇部は、該切欠に挿入されて該切欠を閉鎖する閉鎖体と一体化されている
ことを特徴とする遊技球タンク。
【請求項５】
請求項４記載の遊技球タンクにおいて、
前記庇部は、前記突出部の天井となる天井部及び前記閉鎖体と一体化されている
ことを特徴とする遊技球タンク。
【発明の詳細な説明】
【０００１】
【発明の属する技術分野】
本発明は、遊技球が使用される遊技機の技術分野に属し、詳しくは遊技球を貯留するための遊技球タンクに関する。
【０００２】
【従来の技術】
遊技を実行するために遊技球の投入を要する遊技機や遊技結果に応じて遊技球を払い出す遊技機等、遊技球が使用される遊技機が各種ある。遊技球が使用される遊技機の代表例であるパチンコ機の場合、賞球として遊技者側に排出するための遊技球を貯留しておくための遊技球タンクを備えている。なお、機種によっては遊技球タンクの遊技球を貸球としても排出することがある。また、パチンコ機以外でも、遊技球が使用される遊技機では、遊技者側に排出するための遊技球を貯留しておくための遊技球タンクを備えるのが普通である。
【０００３】
遊技球タンクの遊技球は例えば賞球払出装置に供給されるが、賞球払出装置は、遊技球が例えば２列で整然と流入することを要求するので、遊技球タンクから流出した遊技球を例えば２列に整列させる必要があった。そのために、従来は遊技球タンクの底面に設けられた遊技球の出口から落下してきた遊技球を、タンクレールと呼ばれる整列用の樋で複数列例えば２列や３列に整列していた。
【０００４】
【発明が解決しようとする課題】
つまり、従来の遊技球タンクは貯留していた遊技球を無秩序に排出するだけであったから、遊技球を整列させるための付属部品（例えばタンクレール）が必須であった。したがって、部品点数が多く、また遊技球タンクと付属部品（例えばタンクレール）をそれぞれ別個に遊技機の本体側に装着する構成であったから、それらを取り付けるための機構等も必要となっていた。
【０００５】
本発明は、従来は別部品であった遊技球タンクとタンクレールを一体化した構造を実現して、従来の構造に存在していたさまざまな不都合を解消するものである。
【０００６】
【課題を解決するための手段及び発明の効果】
請求項１記載の遊技球タンクは、遊技球を貯留する貯留部を備える遊技球タンクにおいて、前記貯留部に貯留していた遊技球を流動させつつ整列させて該遊技球タンクの外部に誘導する整列レール部を前記貯留部の底部に一体化して設けたので、貯留部の遊技球が整列レール部に流れ込み、そこで流動しつつ整列させられて遊技球タンクの外部に誘導される。
【０００７】
従って、遊技球タンクから流出する遊技球は既に整列していて、これを整列させるための装置や機構は不要となる。
よって、従来のタンクレールのような遊技球を整列させるための付属部品を遊技球タンクと別個に備える必要はなくなるので、部品点数を低減できる。また付属部品（例えばタンクレール）を遊技球タンクとは別個に遊技機の本体側に装着する必要もなくなるので、そうした付属部品を取り付けるための機構等も不要となる。
【０００８】
この遊技球タンクでは貯留部の内側に貯留されている遊技球が整列レール部に流れ込むが、整列レール部の貯留部の内側における下流端部の上方から流入可能にすると、この下流端部付近に過剰な球圧が集中して遊技球の流動が不良となるおそれがある。
しかし、請求項１記載の遊技球タンクは、整列レール部の貯留部の内側における下流端部の上方に配された庇部にて下流端部の上方を閉じたので、下流端部付近に過剰な球圧が集中することはなく、これによる流動不良や球詰まりを防止できる。
【０００９】
また、請求項１記載の遊技球タンクは、前記整列レール部の一部であり前記貯留部の外部に突出する突出部と、前記貯留部の周壁の前記整列レール部の上方に位置する切欠と、前記突出部の天井となる天井部及び前記切欠に挿入されて該切欠を閉鎖する閉鎖体と一体化されていて前記整列レール部の前記貯留部の内側における下流端部の上方に配される庇部とを設けたので、貯留部の開口方向と整列レール部の開口方向とを同方向にすることができ、遊技球タンクを射出成形にて製造するのに好適となる。また、閉鎖体の周壁への取り付け作業が庇部及び天井部の取り付けともなるから、取り付け作業が複雑化することもない。
【００１０】
請求項２記載の遊技球タンクは、遊技球を貯留する貯留部を備える遊技球タンクにおいて、前記貯留部に貯留していた遊技球を直線に沿って流動させつつ整列させて該遊技球タンクの外部に誘導する整列レール部を前記貯留部の内側になる貯留部側部分と前記貯留部の外部に突出する突出部とで構成して、射出成形により前記貯留部の底部に一体化し、前記貯留部側部分を前記貯留部の底部の全長にわたる溝状に形成したので、請求項１記載の遊技球タンクと同様に、整列レール部に誘導されて遊技球タンクから流出する遊技球は既に整列しているから、これを整列させるための装置や機構は不要となる。よって、従来のタンクレールのような遊技球を整列させるための付属部品を遊技球タンクと別個に備える必要はなくなるので、部品点数を低減できる。また付属部品（例えばタンクレール）を遊技球タンクとは別個に遊技機の本体側に装着する必要もなくなるので、そうした付属部品を取り付けるための機構等も不要となる。
また、請求項２記載の遊技球タンクは、前記貯留部側部分の上流端部に隣接する第１底面と、前記貯留部側部分に隣接し段差により前記第１底面よりも上方に位置する第２底面とを前記貯留部側部分に沿って並べて前記底部に設け、前記第２底面に沿って配される庇部にて前記貯留部側部分の下流端部の上方を閉じているので、庇部よりも上流側ではともかく、第２底面から貯留部側部分の下流端部へと遊技球が流入することはない。一方、第１底面は第２底面よりも低い位置にあるので、貯留部内の遊技球の大まかな流れは上方に位置する第２底面側から第１底面側に向かう方向となる。そして、第１底面は整列レール部の上流端部に隣接するので、貯留部内の遊技球は主に第１底面から整列レール部に流入する。
【００１１】
したがって、整列レール部の貯留部の内側における下流端部への球圧集中の防止効果が向上される。
しかも、請求項２記載の遊技球タンクは、前記第２底面から前記貯留部側部分への遊技球の落下を阻害する内壁を前記第２底面と前記貯留部側部分との境界部分に立設したので、第２底面側から第１底面側に向かう貯留部内の遊技球の大まかな流れをより確実にする。
ところで、庇部が固定されておらずに移動或いは変位可能であると、これの位置がずれて上記の作用効果を発揮しないおそれがある。
【００１２】
そこで  請求項３記載の遊技球タンクは、請求項２記載の遊技球タンクにおいて、前記庇部を、前記貯留部の周壁に保持させている。これにより庇部が移動或いは変位することはなく、庇部による作用効果を確実とする。なお、庇部は、例えば周壁から延出（周壁と一体化）してもよいし、周壁或いは周壁に設けた嵌合部に嵌着するような構成でもよいし、請求項４記載のように間接的に周壁に保持される構成も可能である。ただし、貯留部及び整列レール部を射出成形で製造するので、金型の構造などから庇部と貯留部とを別々に成形する方が好ましいので、庇部を周壁に嵌着などで取り付ける構成が望ましい。
【００１３】
請求項４記載の遊技球タンクは、請求項２または３記載の遊技球タンクにおいて、前記貯留部の周壁の前記整列レール部の上方に位置する部分に切欠を設け、前記庇部は、該切欠に挿入されて該切欠を閉鎖する閉鎖体と一体化されているので、閉鎖体を周壁に取り付けるだけで庇部をも周壁に取り付けることができる。よって取り付け作業が簡単になる。
請求項５記載の遊技球タンクは、請求項４記載の遊技球タンクにおいて、前記庇部は、前記突出部の天井となる天井部及び前記閉鎖体と一体化されていることを特徴とする。このように構成すると、貯留部の開口方向と整列レール部の開口方向とを同方向にすることができ、遊技球タンクを射出成形にて製造するのに好適となる。また、閉鎖体の周壁への取り付け作業が庇部及び天井部の取り付けともなるから、取り付け作業が複雑化することもない。
【００１５】
【発明の実施の形態】
次に、本発明の実施例により発明の実施の形態を説明する。
【００１６】
【実施例】
図１に示すように、遊技球タンク１０は、いずれもプラスチックの射出成形品である本体１２、差込体１４及びストッパ１６から構成されている。
図１〜３等に示すように、本体１２は、周壁２１、底部２３及び整列レール部２５に区分でき、また周壁２１で囲まれた内側が貯留部２７となる。
【００１７】
周壁２１の外面には遊技球タンク１０を遊技機（例えばパチンコ機）に取り付けるための取付部材２９ａ〜２９ｄが設けられている。周壁２１には、整列レール部２５の上方に位置する部分に切欠３０が設けられ、その横には一対の嵌合受部材３１が設けられている。
【００１８】
周壁２１の下端部に連設されている底部２３は、切欠３０が設けられている壁面２１ａ側からこれに対面する壁面２１ｂ側に傾斜していて第２底面に該当する傾斜底面３３ａ、３３ｂ及び傾斜底面３３ａ、３３ｂと壁面２１ｂとの間に位置し第１底面に該当する送出底面３４ａ、３４ｂにて構成されている。
【００１９】
そして、対をなす傾斜底面３３ａ、３３ｂ間及び送出底面３４ａ、３４ｂ間は溝状に凹陥して整列レール部２５の貯留部側部分２５ａとなっている。また、傾斜底面３３ａ、３３ｂと整列レール部２５の境界部分には、内壁３５ａ、３５ｂが立ち上がっている。これら内壁３５ａ、３５ｂの傾斜底面３３ａ、３３ｂからの立ち上がり高さは遊技球の半径程度であり、傾斜底面３３ａ、３３ｂから整列レール部２５への遊技球の落下を阻害する。
【００２０】
整列レール部２５は、上述の貯留部側部分２５ａと壁面２１ａ側に突出している突出部２５ｂとからなり、その底２５ｃは壁面２１ｂが高く突出部２５ｂの先端側が低く傾斜している。整列レール部２５の内部は隔壁３６によって２分割されており、それぞれ遊技球が一列で通過可能な整列溝３７となっている。隔壁３６の下流側端部には切欠状の断絶部３８が設けられ、整列レール部２５の底２５ｃには断絶部３８に対応して長方形の貫通穴３９が設けられている。また、貫通穴３９の周縁部４０は底２５ｃの下側に突出している。
【００２１】
整列レール部２５の上流端部（送出底面３４ａと送出底面３４ｂの間になる部分）には荷重検出用の開口４１が設けられている。この開口４１の内部には遊技球による荷重の有無に対応して昇降（下降時には整列レール部２５の底２５ｃと実質的に一連となる。）する昇降板（図示略）が配され、その昇降変位にて荷重（すなわち遊技球タンク１０内の遊技球の有無）を検出するためのスイッチ（図示略）がオン、オフされる。
【００２２】
差込体１４は、その中央部に配された壁状の閉鎖体４５、閉鎖体４５の一方の面側に延出された庇部４６及び庇部４６とは反対側に延出された天井部４７を一体化した構成である。
閉鎖体４５の幅は壁面２１ａに設けられた切欠３０の幅と整合し、その高さ（天井部４７からの立ち上がり）は、切欠３０の高さとほぼ一致する。したがって、閉鎖体４５にて切欠３０を隙間無く閉鎖することができる。
閉鎖体４５の内面（庇部４６側の面）には張出４８を介して円柱状の嵌合体４９が取り付けられている。この嵌合体４９の径は嵌合受部材３１の内径とほぼ等しく、嵌合体４９を嵌合受部材３１の上方から差し込むことで嵌合体４９を嵌合受部材３１に嵌合させることができる。そして、そのように嵌合させた際には、閉鎖体４５が切欠３０を隙間無く閉鎖し、それによって周壁２１が筒状に閉じた状態とされる。つまり、閉鎖体４５は周壁２１の一部をなすといえる。
【００２３】
閉鎖体４５と庇部４６との連結部には断面形状が略三角形のサポート部５０が設けられている。庇部４６は、このサポート部５０の上辺に沿って延伸された状態となっている。庇部４６の上面は、中心部５１が低く両縁部５２が高い緩やかなＶ谷状で、全体として閉鎖体４５側が高く先端側が低い傾斜を施され、両縁部５２をそれぞれ内壁３５ａ、３５ｂ上に載せている。また、縁部５２の下面側には規制突起５３が設けられており、規制突起５３を内壁３５ａ、３５ｂの内面（整列レール部２５側の面）に接触させることで、整列レール部２５を横切る方向の移動を規制している。
【００２４】
天井部４７はサポート部５０の斜辺の延長線に沿って延出され、一方の縁（図において手前側となる縁）はほぼ直角に折り曲げられた形状で外接部５５とされている。天井部４７は、突出部２５ｂの上縁に整合する緩やかな湾曲が施され、上述のように嵌合体４９を嵌合受部材３１に嵌合させて閉鎖体４５で切欠３０を閉鎖した際には、天井部４７は突出部２５ｂの天井となって突出部２５ｂを筒状にしている。また、外接部５５は突出部２５ｂの外面に接して位置決め及びずれ防止の働きをする。
【００２５】
天井部４７の断絶部３８及び貫通穴３９のほぼ直上になる部分には、円と長方形を組み合わせた形状のストッパ保持穴５７が設けられており、これらストッパ保持穴５７、断絶部３８及び貫通穴３９を貫いて、ストッパ１６が差し込まれている。
【００２６】
ストッパ１６は、最上部に位置する操作摘５８、この下側に連設された円柱状の主軸５９、主軸５９の下端に連接された板部６０、板部６０から主軸５９に沿って上向きに延出された一対の上弾性片６１、それとは逆に延出された下弾性片６２からなり、上弾性片６１には下向きの係止爪６３、６４が２段に設けられ、下弾性片６２の先端には上向きの係止爪６５が設けられている。なお板部６０の板厚は隔壁３６の板厚と等しい。
【００２７】
この遊技球タンク１０は、例えばパチンコ機に取り付けて使用され、その際には開口４１は昇降板にて閉鎖状態とされる。
また、通常はストッパ１６は引き上げ位置にされる。引き上げ位置とは、上弾性片６１の下側の係止爪６４がストッパ保持穴５７の上縁に係止され、下弾性片６２の係止爪６５が貫通穴３９の周縁部４０に係止された状態である。ストッパ１６が引き上げ位置にあるときには、板部６０及び下弾性片６２が隔壁３６の断絶部３８に嵌合し、主軸５９はさらに上方に位置している。このため、整列溝３７内の遊技球の移動はストッパ１６によって阻害されない。
【００２８】
一方、ストッパ１６を押し下げ位置、すなわち上弾性片６１の上側の係止爪６３がストッパ保持穴５７の上縁に係止され、下弾性片６２が貫通穴３９の下方に突出した位置にすると、板部６０が貫通穴３９に嵌合し主軸５９が整列溝３７を閉塞する。このため、整列溝３７内の遊技球は主軸５９によって移動を阻まれ、それよりも下流側へは移動できない。つまり、整列レール部２５からの流出を阻止される。
【００２９】
なお、ストッパ１６を引き上げ位置から押し下げ位置に移動させるには、例えば両方の上弾性片６１を指で挟むようにして、それらを主軸５９に近づける側に弾性変形させて係止爪６４とストッパ保持穴５７の上縁との係止を解除する。そして、ストッパ１６を少し押し下げてから（係止爪６４がストッパ保持穴５７内に入るか通過後に）上弾性片６１を弾性変形させていた力を解除し、さらに押し下げる。すると弾性復帰した上弾性片６１の上の係止爪６３がストッパ保持穴５７の上縁に係止されてストッパ１６の下降が停止する。これにてストッパ１６の位置が引き上げ位置から押し下げ位置に変化する。
【００３０】
これとは逆に、ストッパ１６を押し下げ位置から引き上げ位置に移動させるには、例えば操作摘５８を持ってストッパ１６を引き上げるだけでよい。すると、係止爪６４が上弾性片６１の弾性変形によってストッパ保持穴５７を通過して上に出たところでストッパ保持穴５７の上縁と係止する。また、このときに下弾性片６２の係止爪６５が貫通穴３９の周縁部４０に係止されて、ストッパ１６の上昇を停止させる。
【００３１】
このように、ストッパ１６を引き上げ位置から押し下げ位置に移動させるには、係止爪６４とストッパ保持穴５７の上縁との係止を解除する必要があるので、例えば操作摘５８に荷重がかかってもストッパ１６が押し下げ位置に変位することはない。つまり、予期しない外力が働いて整列レール部２５が閉塞されるおそれはない。一方、ストッパ１６を押し下げ位置から引き上げ位置に移動させるには、操作摘５８を持ってストッパ１６を引き上げるだけでよいので、操作は簡単である。ストッパ１６は、通常の使用時には引き上げ位置にされ、例えば整列レール部２５よりも下流側部分（一例として払出装置）の点検、修理、交換等の作業を行う際には、その作業対象部分に遊技球が流れ込ませないために、また樋などを取り外す際にそこから遊技球が外部に流出するのを防止するために、ストッパ１６を押し下げ位置にして整列レール部２５から下流側への遊技球の流下を停止させる。
【００３２】
さて、ストッパ１６を引き上げ位置にしておいて、遊技球タンク１０の貯留部２７に例えば遊技店の補給設備からの遊技球を供給すると、遊技球は、送出底面３４ａ、３４ｂから開口４１を閉鎖している昇降板上を経て整列レール部２５に流れ込む。そして、整列レール部２５を移動するうちに、隔壁３６により２つの流れに分離され、さらにサポート部５０から天井部４７にかけての絞り作用により上下に重なる状態から１段とされることで、２本の整列溝３７でそれぞれ一列に整列され、２条の流れとなって整列レール部２５の先端から外部に（例えば賞球等の払出装置に通じる樋に）排出される。
【００３３】
貯留部２７に多量の遊技球が在る場合には、傾斜底面３３ａ、３３ｂ上だけでなく庇部４６上にも遊技球が貯留される。しかし、それら庇部４６上の遊技球による球圧は庇部４６によって支承され、その下側すなわち整列レール部２５の内の遊技球にはかからない。よって庇部４６下の遊技球の流れが上からの球圧で阻害されることはない。また、庇部４６は傾斜底面３３ａ、３３ｂと同方向に傾斜しているので、整列レール部２５の上流側の遊技球が減少するに応じて庇部４６の先端から整列レール部２５に落下する。よって、庇部４６上に遊技球がとどまることもない。
【００３４】
この遊技球タンク１０は、貯留部２７に貯留していた遊技球を流動させつつ整列させて遊技球タンク１０の外部に誘導する整列レール部２５を貯留部２７の底部２３に一体化して設けたので、貯留部２７の遊技球が整列レール部２５に流れ込み、そこで流動しつつ整列させられて遊技球タンク１０の外部に誘導される。
【００３５】
従って、遊技球タンク１０から流出する遊技球は既に整列していて、これを整列させるための装置や機構は不要となる。よって、従来のタンクレールのような遊技球を整列させるための付属部品を遊技球タンクと別個に備える必要はなくなるので、部品点数を低減できる。また付属部品（例えばタンクレール）を遊技球タンクとは別個に遊技機の本体側に装着する必要もなくなるので、そうした付属部品を取り付けるための機構等も不要となる。
【００３６】
遊技球タンク１０は、整列レール部２５の貯留部側部分２５ａの下流端部の上方に庇部４６を設けたので、貯留部側部分２５ａの下流端部付近に過剰な球圧が集中することはなく、これによる流動不良や球詰まりを防止できる。
遊技球タンク１０は、整列レール部２５の上流端部に隣接する送出底面３４ａ、３４ｂ（第１底面）と、庇部４６に沿い送出底面３４ａ、３４ｂよりも上方に位置する傾斜底面３３ａ、３３ｂ（第２底面）とを底部２３に設けており、傾斜底面３３ａ、３３ｂは庇部４６に沿っているので、庇部４６よりも上流側ではともかく、傾斜底面３３ａ、３３ｂから整列レール部２５の貯留部側部分２５ａの下流端部へと遊技球が流入することはない。一方、送出底面３４ａ、３４ｂは傾斜底面３３ａ、３３ｂよりも低い位置にあるので、貯留部２７内の遊技球の大まかな流れは上方に位置する傾斜底面３３ａ、３３ｂから送出底面３４ａ、３４ｂに向かう方向となる。そして、送出底面３４ａ、３４ｂは整列レール部２５の上流端部に隣接するので、貯留部２７内の遊技球は主に送出底面３４ａ、３４ｂから整列レール部２５に流入する。したがって、整列レール部２５の貯留部側部分２５ａの下流端部への球圧集中の防止がより確実になる。
【００３７】
遊技球タンク１０は、庇部４６を貯留部２７の周壁２１（壁面２１ａ）に保持させているので庇部４６が移動或いは変位することはなく、上記の庇部２６による効果が確実となる。
その庇部４６の取付形態は、貯留部２７の周壁２１に切欠３０を設け、庇部４６は、切欠３０に挿入されて切欠３０を閉鎖する閉鎖体４５と一体化されているので、閉鎖体４５を周壁２１に取り付けるだけで庇部４６をも周壁２１に取り付けることができる。よって取り付け作業が簡単になる。
【００３８】
遊技球タンク１０の整列レール部２５は貯留部２７の外部に突出する突出部２５ｂを備え、庇部４６は、突出部２５ｂの天井となる天井部４７及び閉鎖体４５と一体化されているので、貯留部２７の開口方向と整列レール部２５の開口方向とを同方向にすることができ、遊技球タンク１０を射出成形にて製造するのに好適となる。また、閉鎖体４５の周壁２１への取り付け作業が庇部４６及び天井部４７の取り付けともなるから、取り付け作業が複雑化することもない。
【００３９】
以上、実施例及び変形例にしたがって本発明の実施の形態を説明したが、本発明はこれらの例に限定されるものではない。例えば実施例では整列溝を２条としているが、１条としたり３条以上とすることもできる。
【図面の簡単な説明】
【図１】実施例の遊技球タンクの分解斜視図である。
【図２】実施例の遊技球タンクにおいてストッパを引き上げ位置にした状態の説明図であり、図２（ａ）は平面図、図２（ｂ）は図２（ａ）のＣ−Ｃ断面図、図２（ｃ）は図２（ｂ）のＤ−Ｄ断面図、図２（ｄ）は図２（ａ）のＡ−Ａ断面図、図２（ｅ）は図２（ｂ）のＢ−Ｂ断面図である。
【図３】実施例の遊技球タンクにおいてストッパを引き上げ位置にした状態の斜視図であり、図３（ａ）は全体斜視図、図３（ｂ）は図２（ａ）のＣ−Ｃ断面斜視図、図３（ｃ）は図２（ｂ）のＤ−Ｄ断面斜視図、図３（ｄ）は図２（ｂ）のＢ−Ｂ断面斜視図である。
【図４】実施例の遊技球タンクにおいてストッパを引き上げ位置にした際の遊技球の移動状態の説明図であり、図４（ａ）、図４（ｂ）、図４（ｃ）、図４（ｄ）は、それぞれ図２（ｂ）、図２（ｃ）、図２（ｄ）、図２（ｅ）に対応している。
【図５】実施例の遊技球タンクにおいてストッパを引き上げ位置にした際の遊技球の移動状態の説明図であり、図５（ａ）、図５（ｂ）、図５（ｃ）は、それぞれ図３（ｂ）、図３（ｃ）、図３（ｄ）に対応している。
【図６】実施例の遊技球タンクにおいてストッパを押し下げ位置にした状態の説明図であり、図６（ａ）、図６（ｂ）、図６（ｃ）、図６（ｄ）は、それぞれ図２（ｂ）、図２（ｃ）、図２（ｄ）、図２（ｅ）に対応している。
【図７】実施例の遊技球タンクにおいてストッパを押し下げ位置にした状態の斜視図であり、図７（ａ）、図７（ｂ）、図７（ｃ）は、それぞれ図３（ｂ）、図３（ｃ）、図３（ｄ）に対応している。
【図８】実施例の遊技球タンクにおいてストッパを押し下げ位置にして遊技球の流出を阻んだ状態の説明図であり、図８（ａ）、図８（ｂ）、図８（ｃ）、図８（ｄ）は、それぞれ図４（ａ）、図４（ｂ）、図４（ｃ）、図４（ｄ）に対応している。
【図９】実施例の遊技球タンクにおいてストッパを押し下げ位置にして遊技球の流出を阻んだ状態の斜視図であり、図９（ａ）、図９（ｂ）、図９（ｃ）は、それぞれ図５（ａ）、図５（ｂ）、図５（ｃ）に対応している。
【符号の説明】
１０        遊技球タンク
１２        本体
１４        差込体
１６        ストッパ
２１        周壁
２１ａ    壁面
２３        底部
２５        整列レール部
２５ａ    貯留部側部分
２５ｂ    突出部
２６        庇部
２７        貯留部
３０        切欠
３３ａ    傾斜底面（第２底面）
３３ｂ    傾斜底面（第２底面）
３４ａ    送出底面（第１底面）
３４ｂ    送出底面（第１底面）
３６        隔壁
３７        整列溝
４５        閉鎖体
４６        庇部
４７        天井部
【図１】
0003580757.tif 000002
【図２】
0003580757.tif 000003
【図３】
0003580757.tif 000004
【図４】
0003580757.tif 000005
【図５】
0003580757.tif 000006
【図６】
0003580757.tif 000007
【図７】
0003580757.tif 000008
【図８】
0003580757.tif 000009
【図９】
0003580757.tif 000010